(57)【要約】【課題】片手で簡単に着脱及び収納が出来る自転車のサドルカバー。【解決手段】サドルカバー２の先方Ｕ字形部にはＵ字形弾性体３を装着し、後方下側縁適宜位置には回動アーム５の一端を係止し他端は回動自在に固定具６に軸着し、その固定具６をサドル１の下側適宜位置に固定する。【選択図】  図１
2006282147.tif 000002
【特許請求の範囲】
【請求項１】
サドルカバー２の先方Ｕ字形部にはＵ字形弾性体３を装着し、後方下側縁適宜位置には回動アーム５の一端を係止し、他端は回動自在に固定具６に軸着し、その固定具６をサドル１の下側適宜位置に固定することを特徴とする自転車のサドルカバー。
【発明の詳細な説明】
【技術分野】
【０００１】  本発明は、自転車のサドルカバーに関する。
【背景技術】
【０００２】  従来、自転車の屋外駐輪で、突然の雨によるサドルの濡れや、埃による汚れの防止対策として、周縁に伸縮ゴムを装着したビニールカバーやスーパーなどの買物入れ用ビニール袋などで被覆していた。
【発明の開示】
【発明が解決しようとする課題】
【０００３】  ところが、上記ビニールカバーや買物入れ用ビニール袋をサドルに被覆する場合、両手を使わなければならず、雨天のときは濡れながらか、又は傘を差して不自由な格好で被覆していた。買物入れ用ビニール袋の被覆は体裁も良くなかった。又、雨に濡れたカバーを外す場合は手が濡れ非常に不快感を覚えていた。【０００４】  本発明は、斯かる事情に鑑みてなされたもので、従来の前記問題を一挙に解決することが出来る自転車のサドルカバーを提供することを目的とする。
【課題を解決するための手段】
【０００５】  前記目的を達成するために本発明は、サドルカバーの先方Ｕ字形部にはＵ字形弾性体を装着し、後方下側縁適宜位置には回動アームの一端を係止し、他端は回動自在に固定具に軸着し、その固定具をサドル下側適宜位置に固定することを特徴とする。【０００６】  この特徴によれば、サドルカバーの前方Ｕ字形部にＵ字形に成形した弾性体を装着し、常にその形状を保持している。このサドルカバーのＵ字形部はサドルの前方Ｕ字形部より幅が狭く、被覆時は常に圧接した状態を保持する。回動アームの一端はサドルカバー後方下側縁に係止し、他端は回動自在に固定具に軸着し、その固定具をサドル後方下側縁に固定し、常にサドルカバーは回動アームを介してサドルに係着している。サドルカバーのＵ字形部を撮み上げ後方へ移動し１８０°回転させた状態で回動アームを押し、更にサドル下奥へと押し込んでいくと回動アームのサドル係止部がサドル下面奥方向へ移動し、サドルカバーがサドル下側に収納される。被覆するときは収納過程の逆工程を辿れば良い。この時回動アームは移動しサドルカバー係止部は収納時より外側に位置する。
【発明の効果】
【０００７】  以上のように本発明のサドルカバーは回動アームを介して常にサドルに係着されているため、片手でサドルカバーの着脱が出来る。【０００８】  被覆したサドルカバーを外すときは、サドルカバーのＵ字形部を撮み上げサドル後方へ引き１８０°回転（Ｕ字形部の裏が表になるように）させて回動アームを押しながらサドル下に押し込むと回動アームは回動し、サドルカバーとの係止部が移動しサドルカバーはより奥に収納される。【０００９】  収納されたサドルカバーを被覆するときは、収納されたサドルカバーのＵ字形部を回動アームが収納時より外側に回動するまで引き、サドルカバーＵ字形部を広げてサドル前方Ｕ字形部方向へ移動すると、この広げたことによりサドルカバーはサドルの幅広部に被覆しやすい。【００１０】  広げたサドルカバーのＵ字形部をサドルＵ字形部に冠着するとサドルカバーのＵ字形部の形状は元に戻りサドルのＵ字形部を圧接する。【００１１】  このように、本発明のサドルカバーは面倒さも全くなく、片手で簡単に着脱出来非常に便利である。【００１２】  尚、本発明の「弾性体」とは外圧により形状が変わるが、形状記憶をしていて外圧が解かれると形状が元に復帰するもので、材質は問わない。
【発明を実施するための最良の形態】
【００１３】  本発明の実施の形態を添付図面に例示した本発明の実施例に基づいて以下に具体的に説明する。【００１４】  添付図面において、図１は本発明の一実施例に係る自転車のサドルカバー２をサドル１に被覆した状態を示す一部を破断した平面図。図２は図１を切断した状態を示す断面図（Ａ−Ａ矢視図）。図３はサドルにサドルカバーを被着し、サドルカバーに弾性材を装着した状態を示す一部破断した平面図。図４は被着カバーを外し収納する過程を示す正面図。図５、図６はサドル１の一部を破断したサドルカバー２の収納過程を示す正面図。図７はサドル１の一部を破断したサドルカバー２の収納状態を示す正面図である。【００１５】  先ず、図１、図２、図３において、自転車のサドル１にはサドルカバー２が被覆される。サドルカバー２の（切断時の対称軸上を中心として）後方下側縁には回動アーム５の一端が係止され、他端は回動アーム５の固定具６に回動自在に軸着し、その回動アーム５を軸着した固定具６は、サドル１の（切断時の対称軸上を中心として）後方下側縁に固定し、サドルカバー２は回動アーム５を介してサドル１に係着されている。【００１６】  サドルカバー２の先方のＵ字形部には、Ｕ字形に形成したＵ字形弾性体３が装着され、サドル１の先端Ｕ字形部を圧接している。このため強風による落下を防止する。【００１７】  上記Ｕ字形弾性体３がサドル１の先端Ｕ字形部より幅広の場合は緩嵌状態であるが、この場合サドルカバー２のＵ字形部に弾性材７を装着するとサドル１の先端Ｕ字形部を圧接する。又、引っかけ紐９を装着しても良い。【００１８】  上記弾性材７をサドルカバー２の後方縁に装着しても良く、この場合はサドルカバー２のＵ字形部のトップ部分がサドル１のＵ字形部のトップ部分を圧接する。【００１９】  次に図４〜図７において、サドル１に被覆したサドルカバー２を外し、収納するときはサドルカバー２のＵ字形部を摘み上げ後方に移動し、そのＵ字形部を１８０°回転（被覆時の表が裏になるように）させ、回動アーム５を押しながらサドル１の下に押し込むと収納される。【００２０】  このとき回動アーム５のサドルカバー２の係止部はサドルカバー２の被覆時の位置よりサドル１の下側の奥方向へ移動し、サドルカバー２はより奥へと収納される。この時の収納形状は回動アーム５より略対称形状に収納される。【００２１】  サドルカバー２を収納するとき１８０°回転させた向きで更に捻じって押し込まれるとサドルカバーの容積が減り収納スペースが小さくてすむ。この時の収納形状は一定ではない。（図示せず）【００２２】  以上、本発明の実施例について説明したが、本発明はその実施例に限定されることなく本発明の範囲内で種々の実施例が可能である。例えば回動アーム５は往復自在アームでも良く、又、前記実施例では回動アーム５の軸着する固定具６をサドル１の下側縁としているが、サドル１の２個のスプリングコイル間を保持している部材に取り付けても、サドルを固定しているフレームに取り付けても良い（図示せず）。又、回動アーム５のサドルカバー２の係止部が１ヶ所でも２ヶ所でも限定されるものでない。
【図面の簡単な説明】
【００２３】
【図１】  本発明の一実施例に係るサドルにサドルカバーを被覆した一例を示す一部破断した平面図
【図２】  図１のＡ−Ａ線断面図
【図３】  サドルにサドルカバーを被覆し、サドルカバーに弾性材を装着した状態を示す一部破断した平面図
【図４】  被覆カバーを外し収納する過程を示す正面図
【図５】  被覆カバーを外し収納する過程を示すサドルの一部を破断した正面図
【図６】  被覆カバーを外し収納する過程を示すサドルの一部を破断した正面図
【図７】  サドルカバーが収納された状態を示すサドルの一部を破断した正面図
【符号の説明】
【００２４】１．．．．．サドル
２．．．．．サドルカバー
３．．．．．Ｕ字形弾性体
４．．．．．サドル後方下側縁
５．．．．．回動アーム
６．．．．．固定具
７．．．．．弾性材
８．．．．．スプリングコイル
９．．．．．掛け紐
【図１】
2006282147.tif 000003
【図２】
2006282147.tif 000004
【図３】
2006282147.tif 000005
【図４】
2006282147.tif 000006
【図５】
2006282147.tif 000007
【図６】
2006282147.tif 000008
【図７】
2006282147.tif 000009